(57)【要約】【課題】Ｍｅｄｉａ  ＩＤが存在しない記録媒体においても実用的なレベルの著作権保護を行うことができる記録媒体の記録再生装置を提供する。【解決手段】データを書き替え可能なディスク記録媒体の記録再生装置において、ＰＤＬの情報を、簡易的なＭｅｄｉａ  ＩＤとして使用する。記録時の処理は、ディスク１に記録されたＰＤＬの値を非公開の適当なハッシュ関数で変換し、エンクリプションキーテーブルを引き、その内容をエンクリプションキーとして、スクランブラ２でスクランブルを掛ける。再生時の処理は、ＰＤＬの値を非公開の適当なハッシュ関数で変換し、キーテーブルを引き、その内容をデクリプションキーとして、デスクランブラ３はスクランブルされたディスク再生信号にＸＯＲすることでデスクランブルする。【選択図】      図１
2005004837.tif 000002
【特許請求の範囲】
【請求項１】
データを書き替え可能なディスク記録媒体の記録再生装置において、
前記ディスク記録媒体の初期不良一覧ＰＤＬ（Ｐｒｉｍａｒｙ  Ｄｅｆｅｃｔ  Ｌｉｓｔ）の情報に基づき、記録媒体を識別する固有ＩＤを決定する手段を備えることを特徴とする記録媒体の記録再生装置。
【請求項２】
前記ＰＤＬの値を記録時のスクランブル情報、再生時のデスクランブル情報に使用することを特徴とする請求項１記載の記録媒体の記録再生装置。
【請求項３】
実際にＰＤＬに登録された物理セクタが障害セクタであることを確認する手段を備え、
前記ＰＤＬの値が改ざんされていないかを判定することを特徴とする請求項２記載の記録媒体の記録再生装置。
【発明の詳細な説明】
【０００１】
【発明の属する技術分野】
本発明は、記録媒体への記録再生装置に関し、特にデジタル記録された画像／音声データを再生する画像／音声記録再生装置、デジタルスチルカメラ、デジタルムービー、カムコーダ、Ｖｉｄｅｏ  ＣＤ、ＤＶＤ、ＭＤ、他の光ディスク、光磁気ディスク、ＨＤＤ記録再生装置に関する。
【０００２】
【従来の技術】
図６、図７、図８は、従来の技術を表わす図である。図６は「記録時」、図７は「再生時」、図８は「不正コピーディスク再生時」を表す。各図において、＋はＸＯＲ（ｅｘｃｌｕｓｉｖｅ  ＯＲ）演算を表す。ＭＫＢ＝Ｍｅｄｉａ  Ｋｅｙ  Ｂｌｏｃｋ，Ｋｄ＝Ｄｅｖｉｃｅ  Ｋｅｙ，Ｋｍ＝Ｍｅｄｉａ  Ｋｅｙ，Ｋｍｕ＝Ｍｅｄｉａ  Ｕｎｉｑｕｅ  Ｋｅｙ，Ｋｃ＝Ｃｏｎｔｅｎｔｓ  Ｋｅｙ，であり、Ｋｍｕ（Ｋｃ）はＫｍｕでエンクリプションされたＫｃを示す。
【０００３】
例えば書換え可能なＤＶＤではＣＰＲＭ（Ｃｏｎｔｅｎｔｓ  Ｐｒｏｔｅｃｔｉｏｎ  ｆｏｒ  Ｒｅｃｏｒｄａｂｌｅ  Ｍｅｄｉａ）方式を採用している。ＣＰＲＭ方式はブランクディスクにＩＤを持たせエンクリプション（暗号化）を行うことにより著作権保護を行っている。ＣＰＲＭ対応の各ブランクディスクは、ディスク固有の「Ｍｅｄｉａ  ＩＤ」と「ＭＫＢ（Ｍｅｄｉａ  ｋｅｙ  Ｂｌｏｃｋ）」というデータをＲＯＭ領域に持っている。
【０００４】
図６から図８を使って従来例の動作手順を説明する。なお詳細な式に関しては一般公開されていない。
【０００５】
「記録時」（図６）
・自分のＫｄ（Ｄｅｖｉｃｅ  Ｋｅｙ）をＭＫＢから探し、Ｋｍ（Ｍｅｄｉａ  Ｋｅｙ）を作成する。
・ＫｍとＭｅｄｉａ  ＩＤからＫｍｕ（Ｍｅｄｉａ  Ｕｎｉｑｕｅ  Ｋｅｙ）を作成する。
・記録時にＣｏｎｔｅｎｔｓにスクランブルを掛けたＫｃ（Ｃｏｎｔｅｎｔｓ  Ｋｅｙ）をＫｍｕでエンクリプションしメディアに記録する。
・ＣｏｎｔｅｎｔｓをＫｃでエンクリプションしメディアに記録する。
【０００６】
「再生時」（図７）
・Ｋｍｕを作るところまでは、記録時と同一である。
・ＫｍｕでエンクリプションされたＫｃをもう一度ＫｍｕとＸＯＲすることで復号化する。
・Ｋｃを用いて、ＫｃでエンクリプションされたＣｏｎｔｅｎｔｓをデクリプション（復号化）する。
【０００７】
「不正コピーメディア再生時」（図８）
・自分のＫｄ（Ｄｅｖｉｃｅ  Ｋｅｙ）をＭＫＢから探し、Ｋｍ（Ｍｅｄｉａ  Ｋｅｙ）を作成する。
・ＫｍとＭｅｄｉａ  ＩＤ’からＫｍｕ’を作成。Ｍｅｄｉａ  ＩＤが記録時と異なるのでＫｍｕ’となる。
・ＫｍｕでエンクリプションされたＫｃをＫｍｕ’とＸＯＲするので、別符号で２度エンリプションすることになる。
・Ｋｃ’（＝Ｋｍｕ’ＸＯＲ  Ｋｍｕ）を用いて、ＫｃでエンクリプションされたＣｏｎｔｅｎｔｓをデクリプションしても戻らない。
【０００８】
また、ＤＶＤ等の媒体の記録再生装置において、コピー制御情報とスクランブリング制御情報との間で整合性が得られるようにした録再装置が開示されている（例えば、特許文献１参照）。
【０００９】
【特許文献１】
特開２００２−２５２８２８号公報
【００１０】
【発明が解決しようとする課題】
しかしながら、上述の従来の技術では、ＣＰＲＭ未対応のＭｅｄｉａ  ＩＤが存在しないフォーマットのディスクでは実施できない。言うまでも無いが、Ｍｅｄｉａ  ＩＤを記録再生可能な場所に記録すればそのままＭｅｄｉａ  ＩＤ毎コピーされてしまい著作権保護は成立しない。また、Ｍｅｄｉａ  ＩＤの有るディスクは、後工程でＹＡＧレーザで書き込むため工数が発生する。
【００１１】
そこで本発明は、Ｍｅｄｉａ  ＩＤが存在しない記録媒体においても実用的なレベルの著作権保護を行うことができる記録媒体の記録再生装置を提供することを目的とする。
【００１２】
【課題を解決するための手段】
上述の課題を解決するため、本発明は、データを書き替え可能なディスク記録媒体の記録再生装置において、ＰＤＬ（Ｐｒｉｍａｒｙ  Ｄｅｆｅｃｔ  Ｌｉｓｔ）の情報を、簡易的なＭｅｄｉａ  ＩＤとして使用する手段を付加したことを特徴とする。
【００１３】
ここでＰＤＬとは、媒体メーカもしくはユーザが媒体使用に先立ってディスクの検査を行い、不良物理セクタを飛ばした形で論理セクタ番号を振るスリップ処理をするための情報をディスクに登録した部分を指す。よってこの部分は一般にディスクごとに異なる。
【００１４】
図９は、ＰＳＮ（ｐｈｙｓｉｃａｌ  Ｓｅｃｔｏｒ  Ｎｕｍｂｅｒ）＝４と９が、Ｄｅｆｅｃｔ  Ｓｅｃｔｏｒの場合のＬＳＮ（Ｌｏｇｉｃａｌ  Ｓｅｃｔｏｒ  Ｎｕｍｂｅｒ）の対応例を示す。図１０は、その場合のＰＤＬ（Ｐｒｉｍａｒｙ  Ｄｅｆｅｃｔ  Ｌｉｓｔ）を示す。ここではＰＤＬが二個の場合で、その後はすべて−１（０ｘｆｆｆｆｆｆｆｆ）で埋めてある。
【００１５】
本発明は、このようにＰＤＬ（Ｐｒｉｍａｒｙ  Ｄｅｆｅｃｔ  Ｌｉｓｔ）の情報を、Ｍｅｄｉａ  ＩＤとして使用する手段を設けることで、事前にＭｅｄｉａ  ＩＤが存在しない記録媒体においても実用的なレベルの著作権保護を行うことができる。
【００１６】
【発明の実施の形態】
次に、本発明の実施の形態について図面を参照して説明する。
【００１７】
（第１の実施形態）
図１は、本発明に係る情報処理の概念を表す説明図である。同図を参照して、ＰＤＬの値を記録時のスクランブル情報、再生時のデスクランブル情報に使用した記録媒体の記録再生装置の動作について説明する。
【００１８】
「記録時の処理」
図１を参照すると、エンクリプションキーの作成方法は、ディスク１に記録されたＰＤＬの値を非公開の適当なハッシュ関数で変換し、エンクリプションキーテーブルを引き、その内容をエンクリプションキーとして、スクランブラ２でスクランブルを掛ける。
【００１９】
次に図３の記録時の遷移とフローを参照して、本発明をデジタルビデオカメラに適用した記録媒体の記録再生装置の「記録動作」について説明する。
【００２０】
まず、電源断かディスク無しの状態から、ビデオモードでかつディスクが挿入状態となり、記録準備処理を行う。
【００２１】
ＰＤＬを半導体メモリにロードし、全てのＰＤＬ値の合計或いは、それらの値を用いてＣＲＣ値を計算する。次に、その結果を適当なハッシュ関数で演算処理（例えば、「ＣＲＣ係数と初期値Ｔａｂｌｅ」の要素数Ｎで割った余り）し、その演算結果に応じて用意してあるエンクリプションキーテーブルの中から一つのエンクリプションキーを選択する（ＳＴＥＰ１）。
【００２２】
エンクリプションキー（ＣＲＣ係数と初期値Ｔａｂｌｅの要素）を３２ｂｉｔのＭ系列符号を生成する多項式を構成するＬＦＳＲ（Ｌｉｎｅａｒ  Ｆｅｅｄｂａｃｋ  Ｓｈｉｆｔ  Ｒｅｇｉｓｔｅｒ）の係数のｂｉｔ列とし、図２に示す係数レジスタに設定する。図に示すように、ＭＳＢは常に１が立っているのでエンクリプションキーテーブルでは省略すれば切りよく３２ｂｉｔに収まる。さらに３２ｂｉｔあるシフトレジスタを初期値（０以外の数値）にプリセットする（ＳＴＥＰ２）。
【００２３】
記録指示されたら、カメラやビデオデッキ等の別のＡＶ（Ａｕｄｉｏ  Ｖｉｓｕａｌ）ストレージ機器から出力されたＡＶ信号がエンコーダで圧縮され、スクランブラに入りＬＦＳＲで生成されたＭ系列符号とＸＯＲされることでエンクリプションされる（ＳＴＥＰ３）。
【００２４】
ＥＣＣパリティ等を付加（不図示）しディスクに書き込む（ＳＴＥＰ４）。
【００２５】
停止ボタンが押されたら次のＳＴＥＰへ、まだなら「ＳＴＥＰ３」へ戻り繰り返す（ＳＴＥＰ５）。
【００２６】
エンコード停止、ファイルクローズ等停止処理し（ＳＴＥＰ６）、「記録スタンバイ」となる。
【００２７】
「再生時の処理」
図１を参照すると、記録時同様、デクリプションキー（対称暗号を使用した例なのでエンクリプションキーと同一となる）の作成は、ＰＤＬの値を非公開の適当なハッシュ関数で変換し、キーテーブルを引き、その内容をデクリプションキーとして、デスクランブラ３はスクランブルされたディスク再生信号にＸＯＲすることでデスクランブルする。
【００２８】
次に図４の再生時の遷移とフローを参照して、本発明をデジタルビデオカメラに適用した記録媒体の記録再生装置の「再生動作」に関して説明する。
【００２９】
「ＳＴＥＰ１１」及び「ＳＴＥＰ１２」は、記録時と同様である。
【００３０】
再生指示されたら、ディスクから再生されＥＣＣでエンコードされエンクリプションされているＡＶ信号が、デスクランブラでスクランブル時と同一のＭ系列符号とＸＯＲされデクリプションされ、デコーダで伸張され表示出力される（ＳＴＥＰ１３）。
【００３１】
もし、コンテンツがコピーされディスクが違えばＰＤＬの値が違い、Ｍ系列符号が異なるのでデスクランブラ出力は全くランダムな値のままとなりデコーダで再生できない。
【００３２】
再生終了したか、停止ボタンが押されたら「再生スタンバイ」となり、未だなら「ＳＴＥＰ１３」へ戻り繰り返す（ＳＴＥＰ１４）。
【００３３】
本実施形態は、３２ｂｉｔでエンクリプションした例を示したが、ｂｉｔ長を増やせば指数関数的に解読は難しくなる。
【００３４】
（第２の実施形態）
図５は、本発明の第２の実施形態の処理の流れを示し、さらに厳しく、コピーされたディスクを排除する例である。
【００３５】
第１の実施形態において、コピーするメディアのエラーが充分少ない場合、ＰＤＬごとコピーされても、再生画像や音声に大きなダメージが生じない可能性が有る。
【００３６】
そこで再生時、ＰＤＬを半導体メモリにロードしたならば、ＰＤＬで示すセクタのベリファイ検査を行う。ＰＤＬに登録されている物理セクタ数をＮとして、本実施形態では、Ｎ＝２５６として、説明する。
【００３７】
まず、Ｉ＝０，ＯＫ＝０として（ＳＴＥＰ２１）、ベリファイがＯＫか否か判定する（ＳＴＥＰ２２）。ＯＫならば、ＯＫ＝ＯＫ＋１として（ＳＴＥＰ２３）、さらにＩ＝Ｉ＋１として（ＳＴＥＰ２４）、Ｉ＝Ｎになるまで、「ＳＴＥＰ２２」から「ＳＴＥＰ２４」までを繰り返す（ＳＴＥＰ２５）。Ｉ＝Ｎまで繰り返して終了すると、ＯＫ／Ｎ＞２／２５６か否か判定し（ＳＴＥＰ２６）、エラーが多ければ、再生スタンバイとなる。
【００３８】
登録されているＤｅｆｅｃｔ  Ｌｉｓｔがエラーとならない場合には、そのディスクを排除することでさらに厳しい著作権保護が可能となる。書き込み可能媒体が例えば４．３ＧＢ（セクタ数０ｘ２７１Ｆ００）のＤＶＤＲＡＭの場合は、ＰＤＬは最大２％であるがディスクのエラーがその１／２００程度の１／１００００とすると、ＰＤＬに登録されるディフェクトセクタ数は、２５６程度となる。これらが仮に１／２の確率でベリファイＯＫだったとしても、著作権保護が破られる確率は（１／２）２５６＝８．６ｅ−７５となり問題ない。
【００３９】
ドライブや温度湿度の条件により、ＰＤＬに登録されていても使用可能になる場合も有り得、この判定では厳しすぎると考えられる場合には、適当な割合までＰＤＬに登録されているセクタのベリファイがＯＫでも許可すればよい。１セクタの場合、コピーディスクが再生できてしまう確率は概算、
２５６×（１／２）（２５６−１）＝４．４ｅ−７５
となる。
【００４０】
【発明の効果】
以上説明したように、本発明によれば、特にＭｅｄｉａ  ＩＤを持っていないディスクにおいても、簡便で効果の大きい著作権保護の実施が可能となる。
【図面の簡単な説明】
【図１】本発明に係る情報処理の概念を表す説明図である。
【図２】「ＣＲＣ生成部」でＬＦＳＲとその周辺の構成を表す図である。
【図３】記録時の遷移とフローを示す図である。
【図４】再生時の遷移とフローを示す図である。
【図５】ベリファイ処理の遷移とフローを示す図である。
【図６】従来の「記録時」を表す図である。
【図７】従来の「再生時」を表す図である。
【図８】従来の「不正コピーディスク再生時」を表す図である。
【図９】ＰＳＮ（ｐｈｙｓｉｃａｌ  Ｓｅｃｔｏｒ  Ｎｕｍｂｅｒ）＝４，９がＤｅｆｅｃｔ  Ｓｅｃｔｏｒの場合のＬＳＮ（Ｌｏｇｉｃａｌ  Ｓｅｃｔｏｒ  Ｎｕｍｂｅｒ）との対応を示す図である。
【図１０】ＰＤＬ（Ｐｒｉｍａｒｙ  Ｄｅｆｅｃｔ  Ｌｉｓｔ）を表す図である。
【符号の説明】
１  ディスク
２  スクランブラ
３  デスクランブラ
【図１】
2005004837.tif 000003
【図２】
2005004837.tif 000004
【図３】
2005004837.tif 000005
【図４】
2005004837.tif 000006
【図５】
2005004837.tif 000007
【図６】
2005004837.tif 000008
【図７】
2005004837.tif 000009
【図８】
2005004837.tif 000010
【図９】
2005004837.tif 000011
【図１０】
2005004837.tif 000012